(57)【要約】【課題】比較的少ない労働量で比較的長時間の除草作業を行うことを可能にする除草具を提供する。【解決手段】除草具１００は、三角形形状を有するブレード１１０と、ブレード１１０に取り付けられた棒状の柄１２０と、からなる。ブレード１１０の外周縁には刃１１１ａ、１１１ｂ、１１１ｃが形成されている。柄１２０は、ブレード１１０を含む面に対して傾斜して取り付けられており、柄１２０が延びる方向の延長線上にブレード１１１の頂点の一つ１１２が位置している。【選択図】図１
0003145798.tif 000002
【実用新案登録請求の範囲】
【請求項１】
三角形形状を有するブレードと、
前記ブレードに取り付けられた棒状の柄と、
からなる除草具であって、
前記ブレードの外周縁には刃が形成されており、
前記柄は、前記ブレードを含む面に対して傾斜して取り付けられており、前記柄が延びる方向の延長線上に前記ブレードの頂点の一つが位置している除草具。
【請求項２】
半円形状を有するブレードと、
前記ブレードに取り付けられた棒状の柄と、
からなる除草具であって、
前記ブレードの外周縁には刃が形成されており、
前記柄は、前記ブレードを含む面に対して傾斜して取り付けられており、前記柄が延びる方向の延長線上に前記ブレードの円弧部分の頂点が位置している除草具。
【請求項３】
前記柄を持って前記ブレードを前記頂点の一つまたは前記円弧部分の頂点の方向に進める場合に後方側になる前記ブレードの外周は頂点が前記ブレードの前方側に向かうＶ字型をなしていることを特徴とする請求項１または２に記載の除草具。
【請求項４】
前記ブレードに対する前記柄の取り付け角度を任意の角度に変更する取り付け角度変更機構を備えることを特徴とする請求項１乃至３の何れか一項に記載の除草具。
【請求項５】
前記取り付け角度変更機構は前記ブレードの面に直立して取り付けられたベースプレートを備えており、
前記ベースプレートには、第一の貫通孔と、複数の第二の貫通孔とが形成されており、
前記第二の貫通孔は前記第一の貫通孔を中心とする円弧上に形成されており、
前記柄の先端には前記ベースプレートを間に挟み込むことができる溝が形成されており、
前記柄には第三の貫通孔と第四の貫通孔とが形成されており、
前記第三の貫通孔及び前記第四の貫通孔は前記溝をそれぞれ貫通しており、
前記第四の貫通孔は、前記第一の貫通孔と前記第二の貫通孔との間の距離に等しい距離だけ、前記第三の貫通孔から離れており、
前記第一の貫通孔と前記第三の貫通孔とにはピンが挿入されており、
前記第四の貫通孔と前記複数の第二の貫通孔の何れかとにはピンが挿入されていることを特徴とする請求項４に記載の除草具。
【請求項６】
前記溝を挟む前記第四の貫通孔の一方の側には雌ネジが形成されていることを特徴とする請求項５に記載の除草具。
【考案の詳細な説明】
【技術分野】
【０００１】
本考案は除草具に関する。
【背景技術】
【０００２】
従来の除草具の一例として実用新案登録第３１３４９４８号公報に記載された除草具がある。
【０００３】
この除草具は、柄と、柄の先端に取り付けられた刃盤体と、からなり、刃盤体の外周縁部には刃が形成されている。
【０００４】
この除草具によれば、刃盤体の外周縁部の全域に刃が形成されているため、柄を中心として３６０度の何れの方向に除草具を動かしても、除草を行うことが可能であるようになっている。
【考案の開示】
【考案が解決しようとする課題】
【０００５】
除草作業は極めて重労働である。このため、上記の従来の除草具のように、除草具を四方八方に動かす必要があると、長時間の除草作業には極めて不向きである。
【０００６】
本考案は以上のような従来の除草具における問題点に鑑みてなされたものであり、比較的少ない労働量で比較的長時間の除草作業を行うことを可能にする除草具を提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
上記の目的を達成するため、本考案は、三角形形状を有するブレード（１１０）と、前記ブレードに取り付けられた棒状の柄（１２０）と、からなる除草具（１００）であって、前記ブレード（１１０）の外周縁には刃（１１１ａ、１１１ｂ、１１１ｃ）が形成されており、前記柄（１２０）は、前記ブレード（１１０）を含む面に対して傾斜して取り付けられており、前記柄（１２０）が延びる方向の延長線上に前記ブレード（１１０）の頂点の一つ（１１２）が位置している除草具（１００）を提供する。
【０００９】
さらに、本考案は、半円形状を有するブレード（２１０）と、前記ブレード（２１０）に取り付けられた棒状の柄（１２０）と、からなる除草具（２００）であって、前記ブレード（２１０）の外周縁には刃（２１１ａ、２１１ｂ）が形成されており、前記柄（１２０）は、前記ブレード（２１０）を含む面に対して傾斜して取り付けられており、前記柄（１２０）が延びる方向の延長線上に前記ブレード（２１０）の円弧部分の頂点（２１２）が位置している除草具（２００）を提供する。
【００１０】
上記の除草具（１００、２００）においては、前記柄（１２０）を持って前記ブレード（１１０、２１０）を前記頂点の一つ（１１２）または前記円弧部分の頂点（２１２）の方向に進める場合に後方側になる前記ブレード（１１０、２１０）の外周は頂点が前記ブレード（１１０、２１０）の前方側に向かうＶ字型をなしていることが好ましい。
【００１１】
本考案に係る除草具（２００）は、前記ブレード（１１０、２１０）に対する前記柄（１２０）の取り付け角度を任意の角度に変更する取り付け角度変更機構を備えることが好ましい。
【００１２】
上記の除草具（２００）においては、前記取り付け角度変更機構は、例えば、前記ブレード（１１０、２１０）の面に直立して取り付けられたベースプレート（５１０）を備えている。前記ベースプレート（５１０）には、第一の貫通孔（５１１）と、複数の第二の貫通孔（５１２）とが形成されており、前記第二の貫通孔（５１２）は前記第一の貫通孔（５１１）を中心とする円弧上に形成されている。前記柄（１２０）の先端には前記ベースプレート（５１０）を間に挟み込むことができる溝（１３０）が形成されている。前記柄（１２０）には第三の貫通孔（１３１）と第四の貫通孔（１３２）とが形成されており、前記第三の貫通孔（１３１）及び前記第四の貫通孔（１３２）は前記溝（１３０）をそれぞれ貫通しており、前記第四の貫通孔（１３２）は、前記第一の貫通孔（５１１）と前記第二の貫通孔（５１２）との間の距離に等しい距離だけ、前記第三の貫通孔（１３１）から離れている。前記第一の貫通孔（５１１）と前記第三の貫通孔（１３１）とにはピン（１４０）が挿入されており、前記第四の貫通孔（１３２）と前記複数の第二の貫通孔（５１２）の何れかとにはピン（１５０）が挿入されている。
【００１３】
前記溝（１３０）を挟む前記第四の貫通孔（１３２）の一方の側には雌ネジ（１３２ａ）が形成されていることが好ましい。
【考案の効果】
【００１４】
本考案に係る除草具によれば、ユーザは本考案に係る除草具を前方または後方に進ませることにより、ブレードの外周縁の刃によって、除草具の周囲の草、すなわち、刃の前方または後方にある草を刈り取ることができる。従来の除草具は四方八方に動かす必要があったため、除草作業によるユーザの疲労度は大きくならざるを得なかったが、本考案に係る除草具によれば、除草具を前方または後方の何れかに動かせばよいため、従来の除草具と比較して、少ない労働量で除草作業を行うことができる。
【考案を実施するための最良の形態】
【００１５】
（第一の実施形態）
図１は本考案の第一の実施形態に係る除草具１００の斜視図である。
【００１６】
本実施形態に係る除草具１００は、三角形形状を有するブレード１１０と、ブレード１１０に取り付けられた棒状の柄１２０と、から構成されている。
【００１７】
ブレード１１０の三角形状の外周縁をなす３つの辺の各々には刃１１１ａ、１１１ｂ、１１１ｃが形成されている。
【００１８】
柄１２０の一端はブレード１１０のほぼ中央に固定されている。柄１２０の他端には柄１２０よりも大径のハンドル１２１が取り付けられている。
【００１９】
柄１２０はその長さ方向における中心よりもブレード１１０に近い位置１２２において鈍角的に屈曲している。
【００２０】
図１に示すように、柄１２０は、ブレード１１０を含む面に対して傾斜して取り付けられている。すなわち、柄１２０はその一端においてブレード１１０に対して鋭角的に傾斜して固定されており、柄１２０が延びる方向の延長線上に三角形状のブレード１１０の頂点の一つ１１２が位置している。
【００２１】
上記のような構造を有する本実施形態に係る除草具１００は以下のようにして使用される。
【００２２】
ユーザはハンドル１２１を持って、除草具１００を前方（図１の方向Ａ）に進ませることにより、ブレード１１０の刃１１１ａ、１１１ｂによって、刃１１１ａ、１１１ｂの前方にある草を刈り取ることができる。
【００２３】
また、ユーザはハンドル１２１を持って、除草具１００を後方（図１の方向Ｂ）に進ませることにより、ブレード１１０の刃１１１ｃによって、刃１１１ｃの後方にある草を刈り取ることができる。
【００２４】
このように、本実施形態に係る除草具１００によれば、除草具１００を前方または後方に進ませることにより、除草具１００の周囲の草を刈り取ることが可能になる。
【００２５】
従来の除草具は四方八方に動かす必要があったため、除草作業によるユーザの疲労度は大きくならざるを得なかったが、本実施形態に係る除草具１００によれば、除草具１００を前方または後方の何れかに動かせばよいため、従来の除草具と比較して、少ない労働量で除草作業を行うことができる。
【００２６】
（第二の実施形態）
図２は本考案の第二の実施形態に係る除草具２００の斜視図である。
【００２７】
本実施形態に係る除草具２００は、第一の実施形態に係る除草具１００と比較して、三角形形状を有するブレード１１０に代えて、半円形状のブレード２１０を備えている。
【００２８】
ブレード１１０に代えて半円形状のブレード２１０を備えている点を除いて、本実施形態に係る除草具２００は第一の実施形態に係る除草具１００と同一の構造を有している。このため、第一の実施形態に係る除草具１００と同一の構成要素に対しては同一の参照符号を用いる。
【００２９】
ブレード２１０の外周縁のうち円弧状の縁には刃２１１ａが形成され、直線状の縁には刃２１１ｂが形成されている。
【００３０】
また、図２に示すように、柄１２０が延びる方向の延長線上に円弧部分の頂点２１２が位置している。
【００３１】
本実施形態に係る除草具２００の使用方法は第一の実施形態に係る除草具１００と同じである。
【００３２】
また、本実施形態に係る除草具２００によっても、第一の実施形態に係る除草具１００と同様の効果を得ることができる。
【００３３】
（第三の実施形態）
図３は本考案の第三の実施形態に係る除草具に使用されるブレード３１０の斜視図である。
【００３４】
第三の実施形態に係る除草具は、第一の実施形態におけるブレード１１０に代えてブレード３１０を使用する点を除いて、第一の実施形態に係る除草具１００と同一の構造を有している。このため、図３にはブレード３１０のみを図示する。
【００３５】
図３に示すように、ブレード３１０の後方側（すなわち、図１の方向Ｂの側）においては、ブレード３１０の形状は、頂点がブレード３１０の前方側（図１の方向Ａの側）に向かうＶ字型をなしている。これに伴い、ブレード３１０は、その後方側においては、二つの刃３１１ａ、３１１ｂを有している。
【００３６】
ブレード３１０がその後方側において二つの刃３１１ａ、３１１ｂを有していることにより、本実施形態に係る除草具を後方（図１の方向Ｂ）に動かして除草を行った場合に、草は二つの刃３１１ａ、３１１ｂの連結点３１１ｃ（すなわち、Ｖ字の頂点）に向かって刈り取られることになるため、刈り取った草がばらけることを防止することができる。
【００３７】
（第四の実施形態）
図４は本考案の第四の実施形態に係る除草具に使用されるブレード４１０の斜視図である。
【００３８】
第四の実施形態に係る除草具は、第一の実施形態におけるブレード１１０に代えてブレード４１０を使用する点を除いて、第一の実施形態に係る除草具１００と同一の構造を有している。このため、図４にはブレード４１０のみを図示する。
【００３９】
図４に示すように、ブレード４１０の後方側（すなわち、図１の方向Ｂの側）、すなわち、ブレード４１０の直線部分においては、ブレード４１０の形状は、頂点がブレード４１０の前方側（図１の方向Ａの側）、すなわち、ブレード４１０の円弧部分に向かうＶ字型をなしている。これに伴い、ブレード４１０は、その後方側においては、二つの刃４１１ａ、４１１ｂを有している。
【００４０】
本実施形態に係る除草具によっても、第三の実施形態に係る除草具と同様の効果を得ることができる。
【００４１】
（第五の実施形態）
図５は本考案の第五の実施形態に係る除草具５００の斜視図である。
【００４２】
本実施形態に係る除草具５００は、第一の実施形態に係る除草具１００と比較して、ブレード１１０に対する柄１２０の取り付け角度を任意の角度に変更する取り付け角度変更機構を追加的に備えている。
【００４３】
取り付け角度変更機構を追加的に備えている点を除いて、本実施形態に係る除草具５００は第一の実施形態に係る除草具１００と同一の構造を有している。このため、第一の実施形態に係る除草具１００と同一の構成要素に対しては同一の参照符号を用いる。
【００４４】
取り付け角度変更機構は、ベースプレート５１０と、先端の形状が変更された柄１２０と、ピン１４０と、蝶ネジ１５０と、から構成されている。
【００４５】
ベースプレート５１０は半円形状をなしており、柄１２０を含む平面内に含まれるように、ブレード１１０の面に直立した状態でブレード１１０に対して固定されている。
【００４６】
ベースプレート５１０には、第一の貫通孔５１１と、複数の第二の貫通孔５１２とが形成されている。
【００４７】
第一の貫通孔５１１はベースプレート５１０のほぼ中央に形成され、第二の貫通孔５１２は第一の貫通孔５１１を中心とする円弧上に形成されている。この円弧上において、第二の貫通孔５１２は相互に等間隔に配置されている。
【００４８】
図６は柄１２０の先端における断面構造を示す縦断面図である。
【００４９】
図６に示すように、柄１２０の先端には、ベースプレート５１０を間に挟み込むことが可能な溝１３０が形成されている。
【００５０】
また、柄１２０には第三の貫通孔１３１と第四の貫通孔１３２とが形成されている。図６に示すように、第三の貫通孔１３１と第四の貫通孔１３２とはいずれも溝１３０をそれぞれ貫通するように形成されている。
【００５１】
第四の貫通孔１３２のうち、溝１３０を挟む一方の側（図６における左側）の内壁には雌ネジ１３２ａが形成されている。
【００５２】
図７は柄１２０とベースプレート５１０とを結合した状態を示す縦断面図である。
【００５３】
ベースプレート５１０にそれぞれ形成されている第一の貫通孔５１１と第二の貫通孔５１２との間の距離と、柄１２０の先端にそれぞれ形成されている第三の貫通孔１３１と第四の貫通孔１３２との間の距離は等しい。
【００５４】
このため、ベースプレート５１０を溝１３０の内部に挿入した場合、第一の貫通孔５１１と第三の貫通孔１３１とを位置的に合わせると、第二の貫通孔５１２の何れか一つと第四の貫通孔１３２とを位置的に合わせることができる。
【００５５】
図７に示すように、第一の貫通孔５１１と第三の貫通孔１３１とにはピン１４０が挿入されており、柄１２０はピン１４０を中心としてベースプレート５１０に対して回動可能であるようになっている。
【００５６】
さらに、柄１２０に形成されている第四の貫通孔１３２とベースプレート５１０に形成されている複数の第二の貫通孔５１２の何れかとには蝶ネジ１５０が挿入されている。
【００５７】
蝶ネジ１５０の雄ネジ部分は第四の貫通孔１３２の雌ネジ１３２ａに螺合している。
【００５８】
このため、図５に示すように、柄１２０はピン１４０及び蝶ネジ１５０を介してベースプレート５１０に対して取り付けられている。
【００５９】
以上のような構造を有する本実施形態に係る除草具５００は以下のようにして使用される。
【００６０】
柄１２０は、ピン１４０が柄１２０の第三の貫通孔１３１及びベースプレート５１０の第一の貫通孔５１１に挿入されることにより、ベースプレート５１０に対して回動自在の構造になっている。このため、柄１２０をベースプレート５１０に対して回動させ、ブレード１１０に対する柄１２０の傾斜角度がユーザの所望の角度になるように、複数の第二の貫通孔５１２の何れかを選択する。
【００６１】
このようにして選択された第二の貫通孔５１２と柄１２０の第四の貫通孔１３２とに蝶ネジ１５０を通し、蝶ネジ１５０の雄ネジ部分を柄１２０の第四の貫通孔１３２の雌ネジ１３２ａに螺合させることにより、ブレード１１０に対する柄１２０の傾斜角度をユーザの所望の角度に固定することができる。
【００６２】
ブレード１１０に対する柄１２０の傾斜角度を変更する場合には、蝶ネジ１５０を一旦取り外し、新たに選択された第二の貫通孔５１２と柄１２０の第四の貫通孔１３２とに蝶ネジ１５０を通し、蝶ネジ１５０の雄ネジ部分を柄１２０の第四の貫通孔１３２の雌ネジ１３２ａに螺合させる。
【００６３】
第一の実施形態に係る除草具１００においては、ブレード１１０に対する柄１２０の傾斜角度は固定角度である。
【００６４】
これに対して、本実施形態に係る除草具５００においては、複数の第二の貫通孔５１２のうちの何れを選択するかに応じて、ブレード１１０に対する柄１２０の傾斜角度を変更することが可能である。このため、本実施形態に係る除草具５００のユーザにとって最適な傾斜角度を本実施形態に係る除草具５００選択することができる。すなわち、ユーザにとって除草作業における最適の姿勢に合わせた傾斜角度を選択することができるため、除草作業の効率を上げることができる。
【００６５】
なお、本実施形態に係る除草具５００の構造は上記の構造に限定されるものではなく、種々の改変が可能である。
【００６６】
例えば、本実施形態に係る除草具５００においては、溝１３０を挟んで形成されている第四の貫通孔１３２の一方の側には雌ネジ１３２ａが形成されているが、雌ネジ１３２ａを形成することは必ずしも必要ではない。雌ネジ１３２ａの代わりに、ネジが切られていない貫通孔を形成することも可能である。この場合には、蝶ネジ１５０の雄ネジ部分を第四の貫通孔１３２から突き出し、突き出した部分にナットを螺合させればよい。
【００６７】
また、ベースプレート５１０に形成されている第二の貫通孔５１２の数は任意である。さらに、第二の貫通孔５１２を相互に等間隔に形成することも必ずしも必要ではなく、隣接する第二の貫通孔５１２の間の間隔を任意の値に設定することも可能である。
【００６８】
本実施形態における取り付け角度変更機構は一例である。ブレード１１０に対する柄１２０の取り付け角度を任意の角度に変更することができる限りにおいて、取り付け角度変更機構は任意の構造を有することが可能である。
【００６９】
また、第五の実施形態に係る除草具５００は第一の実施形態に係る除草具１００をベースとして形成されているが、第二の実施形態に係る除草具２００をベースとすることも可能である。
【図面の簡単な説明】
【００７０】
【図１】図１は本考案の第一の実施形態に係る除草具の斜視図である。
【図２】図２は本考案の第二の実施形態に係る除草具の斜視図である。
【図３】図３は本考案の第三の実施形態に係る除草具に使用されるブレードの斜視図である。
【図４】図４は本考案の第四の実施形態に係る除草具に使用されるブレードの斜視図である。
【図５】図５は本考案の第五の実施形態に係る除草具の斜視図である。
【図６】図６は本考案の第五の実施形態に係る除草具の柄の先端における断面構造を示す縦断面図である。
【図７】図７は本考案の第五の実施形態に係る除草具における柄とベースプレートとを結合した状態を示す縦断面図である。
【符号の説明】
【００７１】
１００  本考案の第一の実施形態に係る除草具
１１０  ブレード
１１１ａ、１１１ｂ、１１１ｃ  刃
１２０  柄
１２１  ハンドル
２００  本考案の第二の実施形態に係る除草具
２１０  ブレード
２１１ａ、２１１ｂ  刃
３１０  本考案の第三の実施形態に係る除草具に使用されるブレード
４１０  本考案の第四の実施形態に係る除草具に使用されるブレード
５００  本考案の第五の実施形態に係る除草具
５１０  ベースプレート
５１１  第一の貫通孔
５１２  第二の貫通孔
１３１  第三の貫通孔
１３２  第四の貫通孔
１３２ａ  雌ネジ
１４０  ピン
１５０  蝶ネジ
【図１】
0003145798.tif 000003
【図２】
0003145798.tif 000004
【図３】
0003145798.tif 000005
【図４】
0003145798.tif 000006
【図５】
0003145798.tif 000007
【図６】
0003145798.tif 000008
【図７】
0003145798.tif 000009